(57)【要約】【課題】複数の端末に亘って利便性が高い電子掲示板用プログラムを提供する。【解決手段】電子掲示板用プログラムは、第１端末１０の表示画面の姿勢を示す第１姿勢情報を取得する第１姿勢情報取得処理＃１と、第２端末２０の表示画面の姿勢を示す第２姿勢情報を取得する第２姿勢情報取得処理＃２と、第１姿勢情報と第２姿勢情報とに基づいて、第１端末１０及び第２端末２０のうちの一方の端末の表示画面に、電子掲示板の一部の領域である第１領域を表示させる第１表示処理＃３と、第１姿勢情報と第２姿勢情報とに基づいて、第１端末１０及び第２端末２０のうちの他方の端末の表示画面に、電子掲示板における第１領域よりも広い第２領域を表示させる第２表示処理＃４と、を備える。【選択図】図１
2020170251.tif 000002
【特許請求の範囲】
【請求項１】
ネットワークを介して接続された複数の端末で特定の電子掲示板を共同利用させるための電子掲示板用プログラムであって、
前記複数の端末のうちの１つの端末の表示画面の姿勢を示す第１姿勢情報を取得する第１姿勢情報取得処理と、
前記複数の端末のうちの前記１つの端末とは異なる他の端末の表示画面の姿勢を示す第２姿勢情報を取得する第２姿勢情報取得処理と、
前記第１姿勢情報と前記第２姿勢情報とに基づいて、前記１つの端末及び前記他の端末のうちの一方の端末の表示画面に、前記電子掲示板の一部の領域である第１領域を表示させる第１表示処理と、
前記第１姿勢情報と前記第２姿勢情報とに基づいて、前記１つの端末及び前記他の端末のうちの他方の端末の表示画面に、前記電子掲示板における前記第１領域よりも広い第２領域を表示させる第２表示処理と、
を備える電子掲示板用プログラム。
【請求項２】
前記他方の端末の表示画面に、前記第１領域を示す第１領域指標を重畳表示させる第１領域指標重畳処理を備える請求項１に記載の電子掲示板用プログラム。
【請求項３】
前記電子掲示板において、かき込みが行われたかき込み領域を算定するかき込み領域算定処理と、
前記かき込み領域に基づいて、前記他方の端末から前記電子掲示板における前記第１領域以外の領域にかき込みがされたと判定された場合に、前記他方の端末による前記第１領域外でのかき込み及び前記第１領域に対する前記かき込みが行われた方向を示すかき込み指標を、前記一方の端末の表示画面に重畳表示させるかき込み指標重畳処理と、を備える請求項１又は２に記載の電子掲示板用プログラム。
【請求項４】
前記かき込み指標は、前記一方の端末の表示画面のうち、前記第１領域から見た前記かき込みが行われた方向に対応する側に重畳表示される請求項３に記載の電子掲示板用プログラム。
【請求項５】
前記一方の端末の表示画面に重畳表示された前記かき込み指標が押下された場合に、前記一方の端末の表示画面に、前記かき込みが行われた領域を中心とする前記第１領域を更新して表示させる表示更新処理を備える請求項３又は４に記載の電子掲示板用プログラム。
【請求項６】
前記かき込み指標は、複数の端末毎に重畳表示される請求項３から５のいずれか一項に記載の電子掲示板用プログラム。
【請求項７】
前記他方の端末の表示画面に、前記一方の端末の表示画面に表示される前記第１領域を変更する表示変更指標を重畳表示する表示変更指標重畳表示処理を備える請求項１から６のいずれか一項に記載の電子掲示板用プログラム。
【請求項８】
前記電子掲示板において、前記他方の端末によりかき込みが行われた最新のかき込み領域を算定する最新かき込み領域算定処理と、
前記最新のかき込み領域に基づいて、前記一方の端末の表示画面に、前記最新のかき込み領域を中心とする前記第１領域を自動で表示させることが可能な自動表示処理とを備える請求項１から７のいずれか一項に記載の電子掲示板用プログラム。
【請求項９】
前記電子掲示板の姿勢を示す掲示板情報を取得する掲示板情報取得処理と、
前記掲示板情報と前記第１姿勢情報と前記第２姿勢情報とに基づいて、前記１つの端末及び前記他の端末のうち、前記１つの端末の表示画面及び前記他の端末の表示画面の夫々の姿勢が前記電子掲示板の姿勢と異なる端末を特定する特定処理と、を備え、
前記第１表示処理は、前記特定処理により特定された前記電子掲示板の姿勢と異なる端末の表示画面に、前記第１領域を表示させる請求項１から７のいずれか一項に記載の電子掲示板用プログラム。
【請求項１０】
ネットワークを介して接続された複数の端末で特定の電子掲示板を共同利用する電子掲示板システムであって、
前記複数の端末のうちの１つの端末の表示画面の姿勢を示す第１姿勢情報を取得する第１姿勢情報取得部と、
前記複数の端末のうちの前記１つの端末とは異なる他の端末の表示画面の姿勢を示す第２姿勢情報を取得する第２姿勢情報取得部と、
前記第１姿勢情報と前記第２姿勢情報とに基づいて、前記１つの端末及び前記他の端末のうちの一方の端末の表示画面に、前記電子掲示板の一部の領域である第１領域を表示させる第１表示部と、
前記第１姿勢情報と前記第２姿勢情報とに基づいて、前記１つの端末及び前記他の端末のうちの他方の端末の表示画面に、前記電子掲示板における前記第１領域よりも広い第２領域を表示させる第２表示部と、
を備える電子掲示板システム。
【発明の詳細な説明】
【技術分野】
【０００１】
本発明は、ネットワークを介して接続された複数の端末で電子掲示板を共同利用させるための電子掲示板用プログラム、及びネットワークを介して接続された複数の端末で電子掲示板を共同利用する電子掲示板システムに関する。
【背景技術】
【０００２】
従来、ネットワークを介して複数の端末で、一つの電子掲示板を使用する技術が用いられてきた。このような電子掲示板は、スマートフォンやタブレットコンピュータ等を用いて利用される。スマートフォンやタブレットコンピュータには、表示画面の姿勢（縦向きや横向き）に応じて表示方向が切り替わるように構成されているものある（例えば特許文献１）。
【０００３】
特許文献１には、携帯型電子機器の画面の表示方向を切り替える技術が記載されている。この携帯型電子機器は、筐体の所定の姿勢位置に対する回転変位を検出し、この回転変位から筐体の現在の姿勢位置を特定する。現在の姿勢が、所定の第１の姿勢位置である場合に、表示手段に表示される画像を回転させている。
【先行技術文献】
【特許文献】
【０００４】
【特許文献１】特開２００４−２４０８７８号公報
【発明の概要】
【発明が解決しようとする課題】
【０００５】
一つの電子掲示板を使用する端末に、特許文献１に記載の技術を用いたものがある場合、表示画面を縦向きとするものがあったり、表示画面を横向きとするものがあったりすると、互いの表示画面に表示される電子掲示板のサイズが異なり、使用に際し、支障が出る可能性がある。そこで、例えば表示方向が回転しないように制限する、表示方向を予め設定された方向に維持しつつ縮小して表示する、電子掲示板の一部を拡大して表示することが考えられる。しかしながら、表示方向が回転しないように制限する場合には、スマートフォン等のように表示画面の小さい端末を想定すると状況によっては表示方向が回転した方が便利である。また、表示方向を予め設定された方向に維持しつつ縮小して表示する場合には、広い範囲に亘って絵を描くときに不便である。更に、電子掲示板の一部を拡大して表示する場合には、電子掲示板における表示画面外に、他の端末でかかれたものが判りにくくなる。
【０００６】
そこで、複数の端末に亘って利便性が高い電子掲示板用プログラム及び電子掲示板システムが求められる。
【課題を解決するための手段】
【０００７】
本発明に係る電子掲示板用プログラムの特徴構成は、ネットワークを介して接続された複数の端末で特定の電子掲示板を共同利用させるための電子掲示板用プログラムであって、前記複数の端末のうちの１つの端末の表示画面の姿勢を示す第１姿勢情報を取得する第１姿勢情報取得処理と、前記複数の端末のうちの前記１つの端末とは異なる他の端末の表示画面の姿勢を示す第２姿勢情報を取得する第２姿勢情報取得処理と、前記第１姿勢情報と前記第２姿勢情報とに基づいて、前記１つの端末及び前記他の端末のうちの一方の端末の表示画面に、前記電子掲示板の一部の領域である第１領域を表示させる第１表示処理と、前記第１姿勢情報と前記第２姿勢情報とに基づいて、前記１つの端末及び前記他の端末のうちの他方の端末の表示画面に、前記電子掲示板における前記第１領域よりも広い第２領域を表示させる第２表示処理と、を備えている点にある。
【０００８】
このような特徴構成とすれば、複数の端末の夫々の表示画面の姿勢に応じて、電子掲示板の一部の領域である第１領域を拡大して表示したり、第１領域よりも広い第２領域を表示したりすることができる。したがって、端末の姿勢に応じて視認性を高めることができ、利便性を向上できる。
【０００９】
また、前記他方の端末の表示画面に、前記第１領域を示す第１領域指標を重畳表示させる第１領域指標重畳処理を備えると好適である。
【００１０】
このような構成とすれば、他方の端末のユーザに、一方の端末の表示画面に表示される第１領域を把握させることができる。
【００１１】
また、前記電子掲示板において、かき込みが行われたかき込み領域を算定するかき込み領域算定処理と、前記かき込み領域に基づいて、前記他方の端末から前記電子掲示板における前記第１領域以外の領域にかき込みがされたと判定された場合に、前記他方の端末による前記第１領域外でのかき込み及び前記第１領域に対する前記かき込みが行われた方向を示すかき込み指標を、前記一方の端末の表示画面に重畳表示させるかき込み指標重畳処理と、を備えると好適である。
【００１２】
このような構成とすれば、一方の端末のユーザに、一方の端末の表示画面に表示されている第１領域外において他方の端末のユーザによりかき込まれたことと、その方向を把握させることができる。
【００１３】
また、前記かき込み指標は、前記一方の端末の表示画面のうち、前記第１領域から見た前記かき込みが行われた方向に対応する側に重畳表示されると好適である。
【００１４】
このような構成とすれば、一方の端末のユーザに、一方の端末の表示画面に表示されている第１領域外において他方の端末のユーザによりかき込まれたものの方向を感覚的に把握させることができる。
【００１５】
また、前記一方の端末の表示画面に重畳表示された前記かき込み指標が押下された場合に、前記一方の端末の表示画面に、前記かき込みが行われた領域を中心とする前記第１領域を更新して表示させる表示更新処理を備えると好適である。
【００１６】
このような構成とすれば、一方の端末に、一方の端末の表示画面に表示されている第１領域外において他方の端末のユーザによりかき込まれたかき込みを表示させることができる。
【００１７】
また、前記かき込み指標は、複数の端末毎に重畳表示されると好適である。
【００１８】
このような構成とすれば、電子掲示板を３つ以上の端末で利用する場合であっても、他の端末の夫々によるかき込みを把握させることができる。
【００１９】
また、前記他方の端末の表示画面に、前記一方の端末の表示画面に表示される前記第１領域を変更する表示変更指標を重畳表示する表示変更指標重畳表示処理を備えると好適である。
【００２０】
このような構成とすれば、一方の端末の表示画面に、一方の端末の表示画面に表示されている第１領域外において他方の端末のユーザによりかき込まれたかき込みを強制的に表示させることができる。
【００２１】
また、前記電子掲示板において、前記他方の端末によりかき込みが行われた最新のかき込み領域を算定する最新かき込み領域算定処理と、前記最新のかき込み領域に基づいて、前記一方の端末の表示画面に、前記最新のかき込み領域を中心とする前記第１領域を自動で表示させることが可能な自動表示処理とを備えると好適である。
【００２２】
このような構成とすれば、一方の端末の表示画面に、他方の端末のユーザによりかき込まれた最新のかき込みを自動で表示することができる。
【００２３】
また、前記電子掲示板の姿勢を示す掲示板情報を取得する掲示板情報取得処理と、前記掲示板情報と前記第１姿勢情報と前記第２姿勢情報とに基づいて、前記１つの端末及び前記他の端末のうち、前記１つの端末の表示画面及び前記他の端末の表示画面の夫々の姿勢が前記電子掲示板の姿勢と異なる端末を特定する特定処理と、を備え、前記第１表示処理は、前記特定処理により特定された前記電子掲示板の姿勢と異なる端末の表示画面に、前記第１領域を表示させると好適である。
【００２４】
このような構成とすれば、電子掲示板の姿勢と、複数の端末の夫々の姿勢とに応じて、電子掲示板の一部を拡大して表示するか否かを自動で決定して表示させることができる。したがって、視認性を高めることが可能となる。
【００２５】
また、本発明に係る電子掲示板システムの特徴構成は、ネットワークを介して接続された複数の端末で特定の電子掲示板を共同利用する電子掲示板システムであって、前記複数の端末のうちの１つの端末の表示画面の姿勢を示す第１姿勢情報を取得する第１姿勢情報取得部と、前記複数の端末のうちの前記１つの端末とは異なる他の端末の表示画面の姿勢を示す第２姿勢情報を取得する第２姿勢情報取得部と、前記第１姿勢情報と前記第２姿勢情報とに基づいて、前記１つの端末及び前記他の端末のうちの一方の端末の表示画面に、前記電子掲示板の一部の領域である第１領域を表示させる第１表示部と、前記第１姿勢情報と前記第２姿勢情報とに基づいて、前記１つの端末及び前記他の端末のうちの他方の端末の表示画面に、前記電子掲示板における前記第１領域よりも広い第２領域を表示させる第２表示部と、を備えている点にある。
【００２６】
このような電子掲示板システムであっても、上述した電子掲示板用プログラムと実質的に差異はなく、電子掲示板用プログラムと同様の効果を奏することが可能である。
【図面の簡単な説明】
【００２７】
【図１】電子掲示板用プログラムの構成を示す図である。
【図２】電子掲示板用プログラムの処理を示す図である。
【図３】電子掲示板用プログラムの処理を示す図である。
【図４】電子掲示板用プログラムの処理を示す図である。
【図５】電子掲示板用プログラムの処理を示す図である。
【図６】別実施形態に係る電子掲示板用プログラムの処理を示す図である。
【図７】電子掲示板システムの構成を示す図である。
【発明を実施するための形態】
【００２８】
本発明に係る電子掲示板用プログラムは、ネットワークを介して接続された複数の端末で特定の電子掲示板を共同利用する際に、利便性が高めることができるように構成される。以下、本実施形態の電子掲示板用プログラムについて説明する。
【００２９】
ここで、電子掲示板とは、例えばスマートフォン、タブレット、パーソナルコンピュータ等の電子機器を用いて文字や絵をかくことが可能な掲示板であって、特定の電子掲示板とは、電子掲示板の共同利用を考えているユーザにより行われた利用登録と紐付けされた電子掲示板である。本実施形態では、理解を容易にするために、複数の端末が第１端末１０及び第２端末２０の２つから構成される場合の例を挙げて説明する。また、第１端末１０及び第２端末２０は表示画面を備えているが、第１端末１０の表示画面のサイズは、第２端末２０の表示画面のサイズよりも小さいものとする。
【００３０】
図１に示されるように、本実施形態の電子掲示板用プログラムは、第１姿勢情報取得処理＃１、第２姿勢情報取得処理＃２、第１表示処理＃３、第２表示処理＃４、第１領域指標重畳処理＃５、かき込み領域算定処理＃６、かき込み指標重畳処理＃７、表示更新処理＃８、表示変更指標重畳表示処理＃９、最新かき込み領域算定処理＃１０、自動表示処理＃１１から構成される。
【００３１】
第１姿勢情報取得処理＃１は、複数の端末のうちの１つの端末の表示画面の姿勢を示す第１姿勢情報を取得する。複数の端末のうちの１つの端末とは、電子掲示板を共同利用するにあたり、電子掲示板の開設（利用登録）を行う端末であって、本実施形態では上述した第１端末１０が相当する。１つの端末の表示画面の姿勢とは、１つの端末が備える表示画面の向きである。ここで、本実施形態では表示画面は長方形であって、表示画面の向きとは、長方形の長辺が延出する方向を意味するものとする。したがって、第１姿勢情報とは、第１端末１０が有する長方形の表示画面の長辺が延出する方向を示す情報が相当する。第１姿勢情報取得処理＃１は、このような第１姿勢情報を取得する。
【００３２】
第２姿勢情報取得処理＃２は、複数の端末のうちの１つの端末とは異なる他の端末の表示画面の姿勢を示す第２姿勢情報を取得する。複数の端末のうちの１つの端末とは、上述したように本実施形態では第１端末１０である。このため、複数の端末のうちの１つの端末とは異なる他の端末とは、第１端末１０により利用登録が行われた電子掲示板を共同利用する端末であって、上述した第２端末２０が相当する。他の端末の表示画面の姿勢とは、他の端末が備える表示画面の向きである。ここで、本実施形態では他の端末の表示画面も長方形であって、表示画面の向きとは、長方形の長辺が延出する方向を意味するものとする。したがって、第２姿勢情報とは、第２端末２０が有する長方形の表示画面の長辺が延出する方向を示す情報が相当する。第２姿勢情報取得処理＃２は、このような第２姿勢情報を取得する。
【００３３】
第１表示処理＃３は、第１姿勢情報と第２姿勢情報とに基づいて、第１端末１０及び第２端末２０のうちの一方の端末の表示画面に、電子掲示板の一部の領域である第１領域を表示させる。第１端末１０及び第２端末２０のうちの一方の端末とは、本実施形態では第１端末１０と第２端末２０のうち、表示画面のサイズが小さい端末が相当する。したがって、本実施形態では第１端末１０が相当する。このため、第１表示処理＃３では、第１端末１０の表示画面に電子掲示板の一部が拡大して表示される。本実施形態では、このような電子掲示板の一部の領域が第１領域として称される。このように第１領域を拡大して表示することで、表示画面の小さい第１端末１０であっても電子掲示板にかき込まれた内容を見易くすることが可能となる。
【００３４】
第２表示処理＃４は、第１姿勢情報と第２姿勢情報とに基づいて、１つの端末及び他の端末のうちの他方の端末の表示画面に、電子掲示板における第１領域よりも広い第２領域を表示させる。第１端末１０及び第２端末２０のうちの他方の端末とは、本実施形態では第１端末１０と第２端末２０のうち、表示画面のサイズが大きい端末が相当する。したがって、本実施形態では第２端末２０が相当する。このため、第２表示処理＃４では、第２端末２０の表示画面に、電子掲示板のうち第１端末１０の表示画面に表示される第１領域よりも広い範囲が表示される。本実施形態では、このような第２端末２０の表示画面に表示される電子掲示板の領域が第２領域として称される。例えば、第２領域は、電子掲示板の全体であっても良いし、電子掲示板の一部であっても良い。
【００３５】
ここで、上述したように第１端末１０の表示画面には電子掲示板における第１領域が表示され、第２端末２０の表示画面には電子掲示板における第２領域よりも広い第２領域が表示される。このため、第２端末２０のユーザにとっては、第１端末１０の表示画面に、電子掲示板のどの領域が表示されているのかわからない場合がある。そこで、本実施形態では、第１領域指標重畳処理＃５が、第２端末２０の表示画面に、第１領域を示す第１領域指標２を重畳表示させるように構成される。第１領域指標２は、図２に示されるように、第２端末２０の表示画面おける表示を見難くしないように、例えば破線を用いて構成すると良い。また、第１領域指標２を半透明の実線や破線を用いて構成しても良い。
【００３６】
一方、第１端末１０の利用者の観点によれば、第１端末１０の表示画面には電子掲示板の一部しか表示されていない。しかしながら、第２端末２０の利用者によっては、電子掲示板のうち、第１端末１０の表示画面に表示されている第１領域以外の領域にかき込みを行うことも想定される。係る場合、第２端末２０の表示画面ではかき込まれた内容を視認可能であるが、第１端末１０の表示画面では直ちに視認できない可能性もある。そこで、第１端末１０の表示画面に、第２端末２０においてかき込まれた電子掲示板における位置を明示するように構成すると好適である。
【００３７】
係る明示を行うために、電子掲示板において、かき込みが行われたかき込み領域を算定するかき込み領域算定処理＃６が実行される。かき込みが行われたかき込み領域とは、電子掲示板におけるかき込みそのものの位置であって良いし、電子掲示板におけるかき込みを含む領域（例えばかき込みを囲むような領域）であっても良い。図３の例では、かき込み３の位置をかき込み領域として算定している。
【００３８】
次に、かき込み指標重畳処理＃７が、かき込み領域に基づいて、第２端末２０から電子掲示板における第１領域以外の領域にかき込みがされたと判定された場合に、第２端末２０による第１領域外でのかき込み及び第１領域に対するかき込みが行われた方向を示すかき込み指標４を、第１端末１０の表示画面に重畳表示させる。かき込み領域はかき込み領域算定処理＃６により算定される。第２端末２０から電子掲示板における第１領域以外の領域にかき込みがされたか否かは、上記かき込み領域と第１端末１０の表示画面に表示される第１領域とに基づき判定可能である。この判定は、かき込み指標重畳処理＃７において行っても良いし、別途判定処理を設けて行っても良い。
【００３９】
第２端末２０による第１領域外でのかき込みとは、上述したような第２端末２０において第１端末１０の表示画面外に対して行われたかき込みである。また、第１領域に対するかき込みが行われた方向とは、電子掲示板における第１領域を中心に、第２端末２０において第１端末１０の表示画面外に対して行われたかき込みの位置であって、具体的には第１領域の上方、下方、左方、右方を示すものである。もちろん、上方且つ右方のように２つの方向を複合したものとすることも可能である。
【００４０】
このようなかき込み及び方向を示す指標が本実施形態ではかき込み指標４と称される。かき込み指標重畳処理＃７では、このようなかき込み指標４を生成し、第１端末１０の表示画面に重畳表示する。図３の例（特に図３の（Ａ））では、第２端末２０の表示画面において第１領域外にかき込み３が行われていることから、第１端末１０の表示画面にかき込み指標４が重畳表示されている。
【００４１】
また、本実施形態ではかき込み指標４は第１端末１０の表示画面のうち、第１領域から見たかき込みが行われた方向に対応する側に重畳表示される。すなわち、図３の例では、第２端末２０の表示画面において、第１領域指標２よりも右側にかき込み３が行われていることから、第１端末１０では表示画面における右方の位置にかき込み指標４が重畳表示されている。これにより、第１端末１０にユーザに対して、表示画面に表示されている範囲の右方に第２端末２０のユーザによりかき込みがあったことを明示することが可能となる。
【００４２】
なお、かき込み指標４は第１端末１０の表示画面のうち、第１領域から見たかき込みが行われた方向に対応する側に重畳表示しなくても、第１端末１０の表示画面の何れかの位置において、例えば「現在の表示よりも右方に新たなかき込みが検出されました」のようなメッセージを表示することで、第１端末１０にユーザに対して、表示画面に表示されている範囲の右方に第２端末２０のユーザによりかき込みがあったことを明示することも可能である。
【００４３】
また、図３の（Ａ）に示されるように、第１端末１０の表示画面に重畳表示されたかき込み指標４が、第１端末１０のユーザにより押下された場合（図３の（Ａ）では押下する状態を黒矢印で示している）に、第１端末１０の表示画面に、かき込みが行われた領域を中心とする第１領域を更新して表示させるように表示更新処理＃８を実行することも可能である。これにより、図３の（Ｂ）に示されるように、第１端末１０の表示画面に、第２端末２０のユーザによるかき込みを表示させることができる。したがって、当該表示を行う際の第１端末１０のユーザの手間を低減できる。なお、第１端末１０の表示画面の表示変更に伴い、図３の（Ｂ）では図３の（Ａ）から第２端末２０の表示画面に表示される第１領域指標２が移動している。
【００４４】
また、上述したような第１端末１０の表示画面外に、第２端末２０のユーザによりかき込みが行われた場合に、状況によっては第２端末２０のユーザの意思により第１端末１０の表示画面の表示を変更させたい時もある。そこで、本実施形態では、第２端末２０の表示画面に、第１端末１０の表示画面に表示される第１領域を変更することが可能な表示変更指標５を重畳表示する表示変更指標重畳表示処理＃９が実行可能に構成される。図４の（Ａ）には、第２端末２０の表示画面に表示変更指標５が表示される例が示される。このような表示変更指標５は、第２端末２０のユーザによるかき込みが検出された場合であって、第１端末１０の表示画面に当該かき込みが行われたかき込み領域が表示されていない場合に重畳表示を行っても良いし、第１端末１０の表示画面の表示に拘らず、第２端末２０においてかき込みが行われた際に重畳表示を行っても良い。
【００４５】
図４の（Ａ）に示されるように、第２端末２０の表示画面に重畳表示された表示変更指標５が、第２端末２０のユーザにより押下された場合（図４の（Ａ）では押下する状態を黒矢印で示している）に、第２端末２０の表示画面に、かき込みが行われた領域を中心とする第１領域が更新して表示される。これにより、図４の（Ｂ）に示されるように、第１端末１０の表示画面に、第２端末２０のユーザによるかき込みを表示させることができる。なお、第１端末１０の表示画面の表示変更に伴い、図４の（Ｂ）では図４の（Ａ）から第２端末２０の表示画面に表示される第１領域指標２が移動している。このような構成により、第２端末２０のユーザにより強制的に第１端末１０の表示画面を変更することができ、第１端末１０のユーザに第２端末２０のユーザによるかき込みを示すことが可能となる。
【００４６】
更に、第１端末１０の表示画面に対して、第２端末２０のユーザによるかき込みを自動で表示させることも可能である。係る場合、電子掲示板において、第２端末２０によりかき込みが行われた最新のかき込み領域を算定する最新かき込み領域算定処理＃１０が実行される。最新のかき込み領域とは、第２端末２０のユーザにより電子掲示板にかき込まれたもののうち、最も後にかき込まれたものが含まれる領域である。もちろん、このような最も後にかき込まれたものの位置であっても良い。具体的には、最新かき込み領域算定処理＃１０では、図５（特に図５の（Ａ））の第２端末２０におけるかき込み３を含む領域や、かき込み３の位置を算定する。
【００４７】
次に、自動表示処理＃１１が、最新のかき込み領域に基づいて、第１端末１０の表示画面に、最新のかき込み領域を中心とする第１領域を自動で表示させる。最新のかき込み領域は領域算定処理＃１０により算定される。最新のかき込み領域を中心とする第１領域とは、図５のようにかき込み３を中心とするかき込み３を含む領域である。自動表示処理＃１１は、図５の（Ｂ）に示されるように、第１端末１０の表示画面に最新のかき込み３を中心として表示を行う。これに伴い、第２端末２０では第１領域指標２の位置が変更して表示される。このような自動による表示は、第１端末１０のユーザや第２端末２０のユーザにより有効にするか否か適宜設定可能とすると好適である。
【００４８】
〔別実施形態〕
（１）上記実施形態では、特定の電子掲示板を共同利用する端末が２つの場合を例に挙げて説明したが、３つ以上の端末で電子掲示板を共同利用する場合に適用することも可能である。係る場合、上述したかき込み指標４は、複数の端末の夫々に重畳表示すると好適である。
【００４９】
（２）上記実施形態では、電子掲示板用プログラムが第２端末２０の表示画面に、第１領域を示す第１領域指標２を重畳表示させる第１領域指標重畳処理＃５を備えるとして説明した。しかしながら、電子掲示板用プログラムは、第２端末２０の表示画面に、第１領域を示す第１領域指標２を重畳表示させないように構成することも可能である。係る場合、電子掲示板用プログラムは１領域指標重畳処理＃５を備えなくても良い。
【００５０】
（３）上記実施形態では、電子掲示板用プログラムが、電子掲示板において、かき込みが行われたかき込み領域を算定するかき込み領域算定処理＃６と、かき込み領域に基づいて、第２端末２０から電子掲示板における第１領域以外の領域にかき込みがされたと判定された場合に、第２端末２０による第１領域外でのかき込み及び第１領域に対するかき込みが行われた方向を示すかき込み指標４を、第１端末１０の表示画面に重畳表示させるかき込み指標重畳処理＃７とを備えるとして説明した。しかしながら、電子掲示板用プログラムは、かき込み領域算定処理＃６及びかき込み指標重畳処理＃７を備えずに構成することも可能である。
【００５１】
（４）上記実施形態では、かき込み指標４は、第１端末１０の表示画面のうち、第１領域から見たかき込みが行われた方向に対応する側に重畳表示されるとして説明したが、かき込み指標４は、第１端末１０の表示画面のうち、第１領域から見たかき込みが行われた方向に対応する側とは異なる位置に重畳表示しても良い。
【００５２】
（５）上記実施形態では、電子掲示板用プログラムは、第１端末１０の表示画面に重畳表示されたかき込み指標４が押下された場合に、第１端末１０の表示画面に、かき込みが行われた領域を中心とする第１領域を更新して表示させる表示更新処理＃８を備えるとして説明した。しかしながら、電子掲示板用プログラムは、表示更新処理＃８を備えずに構成することも可能である。
【００５３】
（６）上記実施形態では、電子掲示板用プログラムは、第２端末２０の表示画面に、第１端末１０の表示画面に表示される第１領域を変更する表示変更指標５を重畳表示する表示変更指標重畳表示処理＃９を備えるとして説明した。しかしながら、電子掲示板用プログラムは、表示変更指標重畳表示処理＃９を備えずに構成することも可能である。
【００５４】
（７）上記実施形態では、電子掲示板用プログラムは、電子掲示板において、第２端末２０によりかき込みが行われた最新のかき込み領域を算定する最新かき込み領域算定処理＃１０と、最新のかき込み領域に基づいて、第１端末１０の表示画面に、最新のかき込み領域を中心とする第１領域を自動で表示させることが可能な自動表示処理＃１１とを備えるとして説明した。しかしながら、電子掲示板用プログラムは、最新かき込み領域算定処理＃１０及び自動表示処理＃１１を備えずに構成することも可能である。
【００５５】
（８）上記実施形態では、第１端末１０の表示画面のサイズは、第２端末２０の表示画面のサイズよりも小さいものとし、第１端末１０の表示画面に電子掲示板の第１領域が表示され、第２端末２０の表示画面に第１領域よりも広い第２領域が表示されるとして説明した。例えば、必ずしも第１領域を第１端末１０の表示画面に表示し、第２領域を第２端末２０の表示画面に表示しなくても良い。
【００５６】
係る場合、電子掲示板用プログラムは、例えば電子掲示板の姿勢を示す掲示板情報を取得する掲示板情報取得処理を実行すると良い。電子掲示板の姿勢とは、電子掲示板の全体形状を示す姿勢であって、具体的には縦長であるか横長であるかを示す姿勢である。このような電子掲示板の姿勢を示す情報は、電子掲示板用プログラムでは掲示板情報として扱うと良い。また、このような掲示板情報は、第１端末１０及び第２端末２０の双方が取得するように構成すると良い。
【００５７】
次に、掲示板情報と第１姿勢情報と第２姿勢情報とに基づいて、第１端末１０及び第２端末２０のうち、第１端末１０の表示画面及び第２端末２０の表示画面の夫々の姿勢が電子掲示板の姿勢と異なる端末を特定する特定処理を実行すると良い。掲示板情報は上述した掲示板情報取得処理により取得される。第１姿勢情報は第１端末１０の表示画面の姿勢を示す情報であって、上記実施形態で説明したように第１姿勢情報取得処理＃１により取得される。第２姿勢情報は第２端末２０の表示画面の姿勢を示す情報であって、上記実施形態で説明したように第２姿勢情報取得処理＃２により取得される。
【００５８】
特定処理では、これらの各情報を用いて、電子掲示板の姿勢と異なる表示画面の姿勢を有する端末を特定する。具体的には、図６の（Ａ）や（Ｄ）に示されるように、電子掲示板が横長である場合には、表示画面が縦長である端末を特定する。すなわち、図６の（Ａ）の例では第１端末１０であって、図６の（Ｄ）の例では第２端末２０である。一方、図６の（Ｂ）や（Ｃ）に示されるように、電子掲示板が縦長である場合には、表示画面が横長である端末を特定する。すなわち、図６の（Ｂ）の例では第１端末１０であって、図６の（Ｃ）の例では第２端末２０である。
【００５９】
係る場合、第１表示処理＃３は、特定処理により特定された電子掲示板の姿勢と異なる端末の表示画面に、第１領域を表示させる。すなわち、図６の（Ａ）及び（Ｂ）の例では、第１端末１０の表示画面に、電子掲示板の一部の領域である第１領域が表示され、図６の（Ｃ）及び（Ｄ）の例では、第２端末２０の表示画面に、電子掲示板の一部の領域である第１領域が表示される。また、図６の（Ａ）及び（Ｂ）の例では、第２端末２０の表示画面に、電子掲示板における第１領域よりも広い第２領域が表示され、図６の（Ｃ）及び（Ｄ）の例では、第１端末１０の表示画面に、電子掲示板における第１領域よりも広い第２領域が表示される。更に、図６の（Ａ）及び（Ｂ）の場合には、第２端末２０の表示画面に、第１領域を示す第１領域指標２を第１領域指標重畳処理＃５により重畳表示すると良く、図６の（Ｃ）及び（Ｄ）の場合には、第１端末１０の表示画面に、第１領域を示す第１領域指標２を第１領域指標重畳処理＃５により重畳表示すると良い。このように構成することで、第１端末１０及び第２端末２０の表示画面に自動的に第１領域を表示したり第２領域を表示したりすることが可能となる。
【００６０】
（９）上記実施形態では、電子掲示板用プログラムを用いて説明したが、上述した技術思想を用いてネットワークを介して接続された複数の端末で特定の掲示板を共同利用する電子掲示板システム１００として構成することも可能である。図７は、このような電子掲示板システム１００の構成の一例を示したブロック図である。
【００６１】
電子掲示板システム１００は、第１姿勢情報取得部１０１、第２姿勢情報取得部１０２、第１表示部１０３、第２表示部１０４、第１領域指標重畳部１０５、かき込み領域算定部１０６、かき込み指標重畳部１０７、表示更新部１０８、表示変更指標重畳表示部１０９、最新かき込み領域算定部１１０、自動表示部１１１の各機能部を備えて構成される。
【００６２】
第１姿勢情報取得部１０１は、複数の端末のうちの１つの端末である第１端末１０の表示画面の姿勢を示す第１姿勢情報を取得する。第２姿勢情報取得部１０２は、複数の端末のうちの１つの端末とは異なる他の端末である第２端末２０の表示画面の姿勢を示す第２姿勢情報を取得する。第１表示部１０３は、第１姿勢情報と前記第２姿勢情報とに基づいて、第１端末１０の表示画面に、電子掲示板の一部の領域である第１領域を表示させる。第２表示部１０４は、第１姿勢情報と第２姿勢情報とに基づいて、第２端末２０の表示画面に、電子掲示板における第１領域よりも広い第２領域を表示させる。
【００６３】
第１領域指標重畳部１０５は、第２端末２０の表示画面に、第１領域を示す第１領域指標２を重畳表示させる。かき込み領域算定部１０６は、電子掲示板において、かき込みが行われたかき込み領域を算定する。かき込み指標重畳部１０７は、かき込み領域に基づいて、第２端末２０から電子掲示板における第１領域以外の領域にかき込みがされたと判定された場合に、第２端末２０による第１領域外でのかき込み及び第１領域に対するかき込みが行われた方向を示すかき込み指標４を、第１端末１０の表示画面に重畳表示させる。
【００６４】
表示更新部１０８は、第１端末１０の表示画面に重畳表示されたかき込み指標４が押下された場合に、第１端末１０の表示画面に、かき込みが行われた領域を中心とする第１領域を更新して表示させる。表示変更指標重畳表示部１０９は、第２端末２０の表示画面に、第１端末１０の表示画面に表示される第１領域を変更する表示変更指標５を重畳表示する。
【００６５】
最新かき込み領域算定部１１０は、電子掲示板において、第２端末２０によりかき込みが行われた最新のかき込み領域を算定する。自動表示部１１１は、最新のかき込み領域に基づいて、第１端末１０の表示画面に、最新のかき込み領域を中心とする第１領域を自動で表示させることが可能なように構成される。
【００６６】
以上のように構成することで、上述した電子掲示板用プログラムと実質的に差異はなく、電子掲示板用プログラムと同様の効果を奏することが可能である。
【００６７】
ここで、第１領域指標重畳部１０５、かき込み領域算定部１０６、かき込み指標重畳部１０７、表示更新部１０８、表示変更指標重畳表示部１０９、最新かき込み領域算定部１１０、自動表示部１１１の各機能部は、電子掲示板システム１００の構成によっては備えなくても良い。また、別実施形態で示した掲示板情報取得処理を行う掲示板情報取得部、特定処理を行う特定部を備えて構成しても良い。
【００６８】
（１０）なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００６９】
本発明は、ネットワークを介して接続された複数の端末で特定の電子掲示板を共同利用させるための電子掲示板用プログラム、及びネットワークを介して接続された複数の端末で特定の電子掲示板を共同利用する電子掲示板システムに用いることが可能である。
【符号の説明】
【００７０】
２：第１領域指標
３：かき込み指標
１０:第１端末（１つの端末）
２０：第２端末（他の端末）
１００：電子掲示板システム
１０１：第１姿勢情報取得部
１０２：第２姿勢情報取得部
１０３：第１表示部
１０４：第２表示部
＃１：第１姿勢情報取得処理
＃２：第２姿勢情報取得処理
＃３：第１表示処理
＃４：第２表示処理
＃５：第１領域指標重畳処理
＃６：かき込み領域算定処理
＃７：かき込み指標重畳処理
＃８：表示更新処理
＃９：表示変更指標重畳表示処理
＃１０：最新かき込み領域算定処理
＃１１：自動表示処理
【図１】
2020170251.tif 000003
【図２】
2020170251.tif 000004
【図３】
2020170251.tif 000005
【図４】
2020170251.tif 000006
【図５】
2020170251.tif 000007
【図６】
2020170251.tif 000008
【図７】
2020170251.tif 000009